(57)【要約】【課題】光源部から放射される光のちらつきを低減可能な点灯装置およびそれを用いた照明器具を提供する。【解決手段】点灯装置１０は、光源部２０を点灯させる点灯回路１と、点灯回路１を制御する制御回路２とを備えている。制御回路２は、アナログ信号をデジタル信号に変換するＡ／Ｄ変換部８と、前記デジタル信号を処理する処理部９と、処理部９の処理結果を開ループ制御の比例制御に基づいて演算する比例制御演算部１１と、比例制御演算部１１の演算結果に対応するデューティ比を具備するＰＷＭ信号を出力する出力部１２とを備えている。点灯回路１は、出力部１２から出力された前記ＰＷＭ信号のデューティ比に従って光源部２０を点灯させるように構成されている。【選択図】図１
2015207364.tif 000002
【特許請求の範囲】
【請求項１】
固体発光素子を具備する光源部を点灯させる点灯装置であって、
前記光源部を点灯させる点灯回路と、前記点灯回路を制御する制御回路とを備え、
前記制御回路は、アナログ信号をデジタル信号に変換するＡ／Ｄ変換部と、前記デジタル信号を処理する処理部と、前記処理部の処理結果を開ループ制御の比例制御に基づいて演算する比例制御演算部と、前記比例制御演算部の演算結果に対応するデューティ比を具備するＰＷＭ信号を出力する出力部とを備え、
前記点灯回路は、前記出力部から出力された前記ＰＷＭ信号のデューティ比に従って前記光源部を点灯させるように構成されている
ことを特徴とする点灯装置。
【請求項２】
前記処理部は、複数の前記デジタル信号の移動平均値を演算する移動平均演算部を備え、
前記処理部は、前記移動平均演算部により演算された前記移動平均値を、前記処理結果として前記比例制御演算部へ出力するように構成されている
ことを特徴とする請求項１記載の点灯装置。
【請求項３】
前記ＰＷＭ信号のデューティ比は、オンデューティ比であり、
前記出力部は、前記点灯回路により前記光源部を点灯させるときに、前記ＰＷＭ信号のオンデューティ比を前記光源部が点灯可能な最小値のオンデューティ比に強制的に変更した後、前記最小値のオンデューティ比から前記ＰＷＭ信号のオンデューティ比へ徐々に増加させるように構成されている
ことを特徴とする請求項１または請求項２記載の点灯装置。
【請求項４】
前記比例制御演算部による前記比例制御の第１比例係数は、前記点灯回路により前記光源部を点灯させるときに、前記光源部が安定して点灯するときの前記比例制御演算部による前記比例制御の第２比例係数よりも小さく設定されている
ことを特徴とする請求項１ないし請求項３のいずれか１項に記載の点灯装置。
【請求項５】
前記制御回路は、前記比例制御演算部の代わりに、前記処理部の前記処理結果を開ループ制御の比例積分制御に基づいて演算する比例積分制御演算部を備え、
前記出力部は、前記比例制御演算部の前記演算結果に従って前記ＰＷＭ信号からなる第１ＰＷＭ信号を出力する代わりに、前記比例積分制御演算部の演算結果に対応するデューティ比を具備する第２ＰＷＭ信号を出力するように構成され、
前記点灯回路は、前記出力部から出力された前記第１ＰＷＭ信号のデューティ比に従って前記光源部を点灯させる代わりに、前記出力部から出力された前記第２ＰＷＭ信号のデューティ比に従って前記光源部を点灯させるように構成されている
ことを特徴とする請求項１記載の点灯装置。
【請求項６】
前記処理部は、複数の前記デジタル信号の移動平均値を演算する移動平均演算部を備え、
前記処理部は、前記移動平均演算部により演算された前記移動平均値を、前記処理結果として前記比例積分制御演算部へ出力するように構成されている
ことを特徴とする請求項５記載の点灯装置。
【請求項７】
前記第２ＰＷＭ信号のデューティ比は、オンデューティ比であり、
前記出力部は、前記点灯回路により前記光源部を点灯させるときに、前記第２ＰＷＭ信号のオンデューティ比を前記光源部が点灯可能な最小値のオンデューティ比に強制的に変更した後、前記最小値のオンデューティ比から前記第２ＰＷＭ信号のオンデューティ比へ徐々に増加させるように構成されている
ことを特徴とする請求項５または請求項６記載の点灯装置。
【請求項８】
前記比例積分制御演算部による前記比例積分制御の第３比例係数は、前記点灯回路により前記光源部を点灯させるときに、前記光源部が安定して点灯するときの前記比例積分制御演算部による前記比例積分制御の第４比例係数よりも小さく設定されている
ことを特徴とする請求項５ないし請求項７のいずれか１項に記載の点灯装置。
【請求項９】
前記光源部と、前記光源部を点灯させる請求項１ないし請求項８のいずれか１項に記載の点灯装置と、前記光源部が取り付けられる器具本体とを備えている
ことを特徴とする照明器具。
【発明の詳細な説明】
【技術分野】
【０００１】
本発明は、点灯装置およびそれを用いた照明器具に関する。
【背景技術】
【０００２】
従来、ＬＥＤ用調光制御装置が提案されている（特許文献１）。ＬＥＤ用調光制御装置は、光源としてＬＥＤを使用する。ＬＥＤ用調光制御装置は、調光レベル設定装置と、ＬＥＤ調光点灯装置とを備えている。調光レベル設定装置は、調光器である。調光レベル設定装置は、アナログ電位の調光信号を出力する。
【０００３】
ＬＥＤ調光点灯装置は、ＣＰＵと、ＬＥＤ点灯回路と、ＬＥＤとを備えている。ＣＰＵは、Ａ／Ｄ変換手段と、点灯回路制御手段とを備えている。Ａ／Ｄ変換手段は、アナログ電位の調光信号をデジタル信号に変換する。点灯回路制御手段は、Ａ／Ｄ変換手段からのデジタル信号を演算処理して点灯回路制御信号を生成する。
【０００４】
ＬＥＤ点灯回路は、点灯回路制御手段からの点灯回路制御信号に従って、ＬＥＤに流れる電流を制御するように構成されている。
【先行技術文献】
【特許文献】
【０００５】
【特許文献１】特開２０１１−９１７２号公報
【発明の概要】
【発明が解決しようとする課題】
【０００６】
しかしながら、ＬＥＤ調光点灯装置では、例えば、Ａ／Ｄ変換手段のサンプリング間隔が広い場合、ＬＥＤの調光レベルを変化させている途中にＬＥＤから放射される光がちらつく可能性がある。
【０００７】
本発明の目的は、光源部から放射される光のちらつきを低減可能な点灯装置およびそれを用いた照明器具を提供することにある。
【課題を解決するための手段】
【０００８】
本発明の点灯装置は、固体発光素子を具備する光源部を点灯させる点灯装置である。本発明の点灯装置は、前記光源部を点灯させる点灯回路と、前記点灯回路を制御する制御回路とを備えている。前記制御回路は、アナログ信号をデジタル信号に変換するＡ／Ｄ変換部と、前記デジタル信号を処理する処理部と、前記処理部の処理結果を開ループ制御の比例制御に基づいて演算する比例制御演算部とを備えている。また、前記制御回路は、前記比例制御演算部の演算結果に対応するデューティ比を具備するＰＷＭ信号を出力する出力部を備えている。前記点灯回路は、前記出力部から出力された前記ＰＷＭ信号のデューティ比に従って前記光源部を点灯させるように構成されている。
【０００９】
本発明の照明器具は、前記光源部と、前記光源部を点灯させる前記点灯装置と、前記光源部が取り付けられる器具本体とを備えている。
【発明の効果】
【００１０】
本発明の点灯装置では、光源部から放射される光のちらつきを低減することが可能となる。
【００１１】
本発明の照明器具では、光源部から放射される光のちらつきを低減可能な点灯装置を備えた照明器具を提供することができる。
【図面の簡単な説明】
【００１２】
【図１】実施形態１の点灯装置の構成を説明するブロック図である。
【図２】実施形態１の点灯装置における制御回路の動作を説明するフローチャートである。
【図３】実施形態１の照明器具の施工状態を示す概略側面図である。
【図４】比較例１の点灯装置におけるシミュレーション結果を示す相関図である。
【図５】実施形態１の点灯装置におけるシミュレーション結果を示す相関図である。
【図６】実施形態２の点灯装置の構成を説明するブロック図である。
【図７】実施形態２の点灯装置における制御回路の動作を説明するフローチャートである。
【図８】比較例２の点灯装置におけるシミュレーション結果を示す相関図である。
【図９】比較例３の点灯装置におけるシミュレーション結果を示す相関図である。
【図１０】実施形態２の点灯装置におけるシミュレーション結果を示す相関図である。
【発明を実施するための形態】
【００１３】
（実施形態１）
以下、実施形態１の点灯装置１０について、図１〜図３を参照しながら説明する。
【００１４】
点灯装置１０は、光源部２０を点灯させるように構成されている。光源部２０は、複数の固体発光素子２２（図３参照）を備えている。各固体発光素子２２は、例えば、ＬＥＤである。各固体発光素子２２の電気的な接続関係は、例えば、直列接続である。なお、点灯装置１０は、光源部２０を構成要件として含まない。
【００１５】
各固体発光素子２２の電気的な接続関係は、直列接続であるが、この接続に限らない。各固体発光素子２２の電気的な接続関係は、例えば、並列接続であってもよい。また、各固体発光素子２２の電気的な接続関係は、例えば、直列接続と並列接続とを組み合わせた接続であってもよい。各固体発光素子２２は、ＬＥＤであるが、これに限らない。各固体発光素子２２は、例えば、有機エレクトロルミネッセンス素子であってもよい。固体発光素子２２の数は、複数に限らず、１つであってもよい。
【００１６】
また、点灯装置１０は、交流電源４０と調光装置４１との直列回路が電気的に接続されるように構成されている。交流電源４０は、例えば、商用電源である。調光装置４１は、例えば、調光器である。調光装置４１は、交流電源４０の交流電圧を位相制御するように構成されている。なお、点灯装置１０は、交流電源４０と調光装置４１とを構成要件として含まない。
【００１７】
点灯装置１０は、点灯回路１と、制御回路２とを備えている。
【００１８】
点灯回路１は、光源部２０を点灯させるように構成されている。点灯回路１は、例えば、電源回路３と、変換回路４とを備えている。
【００１９】
電源回路３は、調光装置４１により位相制御された電圧（以下、「位相制御電圧」）から第１直流電圧を生成するように構成されている。電源回路３は、例えば、整流回路５と、平滑回路６とを備えている。整流回路５は、位相制御電圧を全波整流するように構成されている。整流回路５は、例えば、ダイオードブリッジである。平滑回路６は、整流回路５により全波整流された電圧を平滑して第１直流電圧を生成するように構成されている。平滑回路６は、例えば、電解コンデンサである。なお、電源回路３は、整流回路５と平滑回路６とを備えているが、この構成を特に限定するものではない。
【００２０】
変換回路４は、第１直流電圧を異なる第２直流電圧に変換するように構成されている。また、変換回路４は、第２直流電圧を光源部２０へ出力するように構成されている。第２直流電圧は、例えば、複数の固体発光素子２２の合計の順方向電圧以上の電圧である。これにより、点灯回路１は、光源部２０を点灯させることが可能となる。言い換えれば、点灯装置１０は、光源部２０を点灯させることが可能となる。
【００２１】
変換回路４は、スイッチング素子７を備えている。変換回路４は、例えば、ＤＣ／ＤＣコンバータである。スイッチング素子７は、例えば、ノーマリオフ型のｎチャネルＭＯＳＦＥＴである。なお、変換回路４は、スイッチング素子７としてｎチャネルＭＯＳＦＥＴを用いているが、これに限らない。スイッチング素子７は、例えば、ｎチャネルＩＧＢＴであってもよい。
【００２２】
点灯回路１は、電源回路３と変換回路４とを備えているが、この構成を特に限定するものではない。
【００２３】
制御回路２は、点灯回路１を制御するように構成されている。制御回路２は、例えば、プログラムが搭載されたマイクロコンピュータである。上記プログラムは、例えば、上記マイクロコンピュータに予め設けられた第１メモリ（図示せず）に記憶されている。
【００２４】
制御回路２は、Ａ／Ｄ変換部８と、処理部９と、比例制御演算部１１と、出力部１２とを備えている。
【００２５】
Ａ／Ｄ変換部８は、アナログ信号をデジタル信号に変換するように構成されている。Ａ／Ｄ変換部８のサンプリング間隔は、例えば、１８５．１２μｓに設定されている。
【００２６】
Ａ／Ｄ変換部８の入力側は、電源回路３の入力側と電気的に接続されている。言い換えれば、Ａ／Ｄ変換部８は、調光装置４１から位相制御電圧が入力されるように構成されている。調光装置４１からの位相制御電圧の電圧信号は、上記アナログ信号に相当する。
【００２７】
処理部９は、Ａ／Ｄ変換部８からの上記デジタル信号を処理するように構成されている。具体的に説明すると、処理部９は、Ａ／Ｄ変換部８からの上記デジタル信号に含まれるノイズを除去するように構成されている。処理部９は、移動平均演算部１３と、第１蓄積部１４とを備えている。第１蓄積部１４は、例えば、上記マイクロコンピュータに予め設けられた第２メモリ（図示せず）である。なお、移動平均とは、単純移動平均を意味する。
【００２８】
移動平均演算部１３は、Ａ／Ｄ変換部８から上記デジタル信号が入力されるように構成されている。また、移動平均演算部１３は、Ａ／Ｄ変換部８からの上記デジタル信号を第１蓄積部１４に蓄積するように構成されている。
【００２９】
移動平均演算部１３は、例えば、第１蓄積部１４に蓄積された上記デジタル信号の数が規定数に達したとき、上記規定数の上記デジタル信号のうち最大値の上記デジタル信号と最小値の上記デジタル値とを除いた、残りの上記デジタル信号の移動平均値を演算する。上記規定数は、例えば、１０である。なお、上記規定数は、１０であるが、この数に限らない。上記規定数は、例えば、４〜３０の範囲内の数であればよい。
【００３０】
また、処理部９は、移動平均演算部１３により演算された上記移動平均値を、処理部９の処理結果として比例制御演算部１１へ出力するように構成されている。
【００３１】
比例制御演算部１１は、処理部９の処理結果を、開ループ制御の比例制御に基づいて演算するように構成されている。比例制御演算部１１は、第１演算部１５と、第２蓄積部１６と、第１判定部１７と、第２演算部１８とを備えている。第２蓄積部１６は、例えば、上記マイクロコンピュータに予め設けられた第３メモリ（図示せず）である。なお、比例制御演算部１１は、第２蓄積部１６として第３メモリを用いているが、これに限らない。第２蓄積部１６は、例えば、上記第２メモリであってもよい。開ループ制御とは、フィードバックループがない制御を意味する。
【００３２】
第１演算部１５は、移動平均演算部１３により演算された上記移動平均値が入力されるように構成されている。また、第１演算部１５は、上記移動平均値を第２蓄積部１６に蓄積するように構成されている。
【００３３】
第１演算部１５は、第２蓄積部１６に予め蓄積された上記移動平均値（以下、「第１の移動平均値」）と、移動平均演算部１３から入力された上記移動平均値（以下、「第２の移動平均値」）との差分を演算するように構成されている。第１の移動平均値は、例えば、移動平均演算部１３により演算された前回の移動平均値を意味する。第２の移動平均値は、例えば、移動平均演算部１３により演算された今回の移動平均値を意味する。
【００３４】
第１判定部１７は、第１演算部１５により演算された第１の移動平均値と第２の移動平均値との差分（以下、「第１演算部１５の差分結果」）が入力されるように構成されている。第１判定部１７は、第１演算部１５の差分結果が０であるか否かを判定するように構成されている。また、第１判定部１７は、第１演算部１５の差分結果が正の数であるか否かを判定するように構成されている。
【００３５】
第２演算部１８は、第１判定部１７の判定結果に従って、第１の移動平均値に比例係数Ａ１を加算するように構成されている。また、第２演算部１８は、第１判定部１７の判定結果に従って、第１の移動平均値から比例係数Ａ１を減算するように構成されている。具体的に説明すると、第２演算部１８は、第１判定部１７により第１演算部１５の差分結果が正の数であると判定されたとき、第１の移動平均値に比例係数Ａ１を加算する。また、第２演算部１８は、第１判定部１７により第１演算部１５の差分結果が負の数であると判定されたとき、第１の移動平均値から比例係数Ａ１を減算する。比例係数Ａ１は、例えば、０．５である。
【００３６】
また、比例制御演算部１１は、第２演算部１８の演算結果を、比例制御演算部１１の演算結果として出力部１２へ出力するように構成されている。
【００３７】
出力部１２は、ＰＷＭ信号（以下、「第１ＰＷＭ信号」）を出力するように構成されている。第１ＰＷＭ信号は、比例制御演算部１１の演算結果に対応するデューティ比（以下、「第１デューティ比」）を備えている。第１デューティ比は、例えば、オンデューティ比（以下、第１オンデューティ比）である。
【００３８】
出力部１２は、読出部１９と、第３蓄積部２３とを備えている。第３蓄積部２３は、例えば、上記マイクロコンピュータに予め設けられた第４メモリ（図示せず）である。なお、出力部１２は、第３蓄積部２３として第４メモリを用いているが、これに限らない。第３蓄積部２３は、例えば、上記第１メモリであってもよい。
【００３９】
第３蓄積部２３には、第１データテーブル（図示せず）が予め記憶されている。第１データテーブルは、比例制御演算部１１の演算結果と第１ＰＷＭ信号の第１オンデューティ比とが１対１で対応付けられている。第１データテーブルは、例えば、下記の表１のようなデータテーブルを備えている。言い換えれば、比例制御演算部１１の演算結果と第１ＰＷＭ信号の第１オンデューティ比とは、下記の表１に示すように１対１で対応付けられている。下記の表１は、第１データテーブルの一部を表している。下記の表１の“位相角”は、調光装置４１からの位相制御電圧の位相角を意味する。この“位相角”は、比例制御演算部１１の演算結果に相当する。また、下記の表１の“調光比”は、光源部２０の光出力を決定する調光比（以下、「光源部２０の調光比」）を意味する。この“調光比”は、第１ＰＷＭ信号の第１オンデューティ比に相当する。
【００４０】
【表１】
2015207364.tif 000003
【００４１】
読出部１９は、比例制御演算部１１の演算結果が入力されるように構成されている。また、読出部１９は、比例制御演算部１１の演算結果に対応する第１オンデューティ比を、第３蓄積部２３から読み出すように構成されている。
【００４２】
読出部１９は、比例制御演算部１１の演算結果が入力されたとき、第３蓄積部２３に予め記憶された第１データテーブルに基づいて、比例制御演算部１１の演算結果に対応付けられた第１オンデューティ比を読み出す。
【００４３】
出力部１２は、読出部１９により読み出された第１オンデューティ比を具備する第１ＰＷＭ信号を、点灯回路１へ出力するように構成されている。
【００４４】
点灯回路１は、出力部１２から出力された第１ＰＷＭ信号の第１オンデューティ比に従って、光源部２０を点灯させるように構成されている。
【００４５】
以下、実施形態１の点灯装置１０における制御回路２の動作について、図２に基づいて簡単に説明する。
【００４６】
Ａ／Ｄ変換部８は、上記アナログ信号が入力されたとき、上記アナログ信号をデジタル信号に変換する（図２中のＳ１）。
【００４７】
移動平均演算部１３は、複数の上記デジタル信号の移動平均値を演算する（図２中のＳ２）。
【００４８】
第１演算部１５は、第１の移動平均値と第２の移動平均値との差分を演算する（図２中のＳ３）。
【００４９】
第１判定部１７は、第１演算部１５の差分結果が０であるか否かを判定する（図２中のＳ４）。第１判定部１７は、第１演算部１５の差分結果が０以外のとき、第１演算部１５の差分結果が正の数であるか否かを判定する（図２中のＳ５）。
【００５０】
第２演算部１８は、第１判定部１７により第１演算部１５の差分結果が正の数であると判定されたとき、第１の移動平均値に比例係数Ａ１を加算する（図２中のＳ６）。また、第２演算部１８は、第１判定部１７により第１演算部１５の差分結果が負の数であると判定されたとき、第１の移動平均値から比例係数Ａ１を減算する（図２中のＳ７）。図２中のＳ６およびＳ７それぞれの“係数Ａ１”は、比例係数Ａ１に相当する。
【００５１】
読出部１９は、比例制御演算部１１の演算結果に対応する第１オンデューティ比を、第３蓄積部２３から読み出す（図２中のＳ８）。また、読出部１９は、第１判定部１７により第１演算部１５の差分結果が０であると判定されたとき、第３蓄積部２３から第１オンデューティ比を読み出さない。図２中のＳ８の“調光比”は、第１オンデューティ比に相当する。
【００５２】
ところで、本願発明者らは、点灯装置１０において比例制御演算部１１のみを除いた比較例１の点灯装置を考えた。比較例１の点灯装置における読出部１９は、移動平均演算部１３により演算された上記移動平均値が入力されるように構成されている。
【００５３】
また、本願発明者らは、比較例１の点灯装置において、光源部２０の調光比を変化させることを考えた。
【００５４】
本願発明者らは、比較例１の点灯装置において調光装置４１からの位相制御電圧の位相角（以下、「第１位相角」）を変化させたときのシミュレーション（以下、「第１シミュレーション」）を行った。また、本願発明者らは、第１シミュレーションを行い、図４に示すようなシミュレーション結果を得た。本願発明者らは、比較例１の点灯装置において第１シミュレーションを行う際に、例えば、Mathworks社製のMatlab（登録商標）/Simulink（登録商標）を用いた。図４中の縦軸の“位相角”は、第１位相角を表している。図４中の横軸は、時間を表している。図４中の破線は、比較例１の点灯装置において第１位相角の理想的な変化を表している。図４中の一点鎖線は、比較例１の点灯装置においてＡ／Ｄ変換部８のサンプリング間隔を１８５．１２μｓに設定した場合における第１位相角の変化を表している。第１位相角の理想的な変化とは、例えば、Ａ／Ｄ変換部８のサンプリング間隔を４６．２８μｓに設定した場合における第１位相角の変化を意味する。
【００５５】
また、本願発明者らは、点灯装置１０において調光装置４１からの位相制御電圧の位相角（以下、「第２位相角」）を変化させたときのシミュレーション（以下、「第２シミュレーション」）を行った。そして、本願発明者らは、第２シミュレーションを行い、図５に示すようなシミュレーション結果を得た。本願発明者らは、点灯装置１０において第２シミュレーションを行う際に、例えば、Mathworks社製のMatlab（登録商標）/Simulink（登録商標）を用いた。図５中の縦軸の“位相角”は、第１位相角と第２位相角とを表している。図５中の横軸は、時間を表している。図５中の実線は、点灯装置１０における第２位相角の変化を表している。図５中の破線は、比較例１の点灯装置において第１位相角の理想的な変化を表している。要するに、図５中の破線は、図４中の破線と同じである。
【００５６】
比較例１の点灯装置では、Ａ／Ｄ変換部８のサンプリング間隔が４６．２８μｓに設定された場合、図４中および図５中の破線で示すように、第１位相角が経過時間に伴って直線状に増加する。また、比較例１の点灯装置では、Ａ／Ｄ変換部８のサンプリング間隔が１８５．１２μｓに設定された場合、図４中の一点鎖線で示すように、第１位相角が経過時間に伴って階段状に増加する。すなわち、比較例１の点灯装置では、Ａ／Ｄ変換部８のサンプリング間隔が広い場合、光源部２０の調光比を変化させている途中に光源部２０から放射される光がちらつく可能性がある。なお、以下では、説明の便宜上、比較例１の点灯装置においてＡ／Ｄ変換部８のサンプリング間隔が１８５．１２μｓに設定された場合の第１位相角の変化を、「比較例１の点灯装置における第１位相角の変化例」と称する。
【００５７】
点灯装置１０では、図５中の実線で示すように、第２位相角の変化を、比較例１の点灯装置における第１位相角の変化例よりも、第１位相角の理想的な変化に近づけることが可能となる。よって、点灯装置１０では、比較例１の点灯装置に比べて、光源部２０から放射される光のちらつきを低減することが可能となる。
【００５８】
出力部１２は、点灯回路１により光源部２０を点灯させるときに、第１ＰＷＭ信号の第１オンデューティ比を光源部２０が点灯可能な最小値のオンデューティ比に強制的に変更するように構成されていることが好ましい。また、出力部１２は、第１ＰＷＭ信号の第１オンデューティ比を上記最小値のオンデューティ比に強制的に変更した後、上記最小値のオンデューティ比から第１ＰＷＭ信号の第１オンデューティ比へ徐々に増加させるように構成されていることが好ましい。上記最小値のオンデューティ比は、例えば、１０％である。上記最小値のオンデューティ比は、１０％であるが、これに限らない。上記最小値のオンデューティ比は、例えば、５％〜９５％の範囲内のオンデューティ比であることが好ましい。これにより、点灯装置１０では、スイッチング素子７の絶縁破壊を抑制することが可能となる。なお、強制的に変更するとは、例えば、特定の条件を考慮せず、直ちに変更することを意味する。
【００５９】
比例制御演算部１１による比例制御の比例係数Ａ１は、点灯回路１により光源部２０を点灯させるときに、光源部２０が安定して点灯するときの比例制御演算部１１による比例制御の比例係数よりも小さく設定されていることが好ましい。以下、比例係数Ａ１は、説明の便宜上、「第１比例係数Ａ１」と称する。また、光源部２０が安定して点灯するときの比例制御演算部１１による比例制御の比例係数を、「第２比例係数」と称する。第１比例係数Ａ１は、例えば、第２比例係数の半分の値である。これにより、点灯装置１０では、光源部２０の光出力を徐々に上昇させることが可能となる。よって、点灯装置１０では、スイッチング素子７の絶縁破壊を、より一層抑制することが可能となる。なお、光源部２０が安定して点灯するときとは、光源部２０の光出力が一定の出力となるときの点灯状態を意味する。
【００６０】
以上説明した実施形態１の点灯装置１０は、固体発光素子２２を具備する光源部２０を点灯させる点灯装置１０である。点灯装置１０は、光源部２０を点灯させる点灯回路１と、点灯回路１を制御する制御回路２とを備えている。制御回路２は、アナログ信号をデジタル信号に変換するＡ／Ｄ変換部８と、前記デジタル信号を処理する処理部９と、処理部９の処理結果を開ループ制御の比例制御に基づいて演算する比例制御演算部１１とを備えている。また、制御回路２は、比例制御演算部１１の演算結果に対応するデューティ比を具備するＰＷＭ信号を出力する出力部１２を備えている。点灯回路１は、出力部１２から出力された前記ＰＷＭ信号のデューティ比に従って光源部２０を点灯させるように構成されている。これにより、点灯装置１０では、光源部２０から放射される光のちらつきを低減することが可能となる。
【００６１】
処理部９は、複数の前記デジタル信号の移動平均値を演算する移動平均演算部１３を備えていることが好ましい。また、処理部９は、移動平均演算部１３により演算された前記移動平均値を、前記処理結果として比例制御演算部１１へ出力するように構成されていることが好ましい。これにより、点灯装置１０では、光源部２０から放射される光のちらつきを、より低減することが可能となる。
【００６２】
前記ＰＷＭ信号のデューティ比は、オンデューティ比であることが好ましい。出力部１２は、点灯回路１により光源部２０を点灯させるときに、前記ＰＷＭ信号のオンデューティ比を光源部２０が点灯可能な最小値のオンデューティ比に強制的に変更するように構成されていることが好ましい。また、出力部１２は、前記ＰＷＭ信号のオンデューティ比を前記最小値のオンデューティ比に強制的に変更した後、前記最小値のオンデューティ比から前記ＰＷＭ信号のオンデューティ比へ徐々に増加させるように構成されていることが好ましい。これにより、点灯装置１０では、スイッチング素子７の絶縁破壊を抑制することが可能となる。
【００６３】
比例制御演算部１１による前記比例制御の第１比例係数Ａ１は、点灯回路１により光源部２０を点灯させるときに、光源部２０が安定して点灯するときの比例制御演算部１１による前記比例制御の第２比例係数よりも小さく設定されていることが好ましい。これにより、点灯装置１０では、光源部２０の光出力を徐々に上昇させることが可能となる。よって、点灯装置１０では、スイッチング素子７の絶縁破壊を、より一層抑制することが可能となる。
【００６４】
以下、実施形態１の照明器具３０の一例について、図３に基づいて説明する。
【００６５】
照明器具３０は、例えば、天井材５０に直付けされるように構成されている。照明器具３０は、光源部２０と、点灯装置１０と、器具本体３１と、拡散部３２とを備えている。
【００６６】
光源部２０は、複数の固体発光素子２２と、基板２１とを備えている。基板２１は、例えば、プリント基板である。基板２１の第１面には、複数の固体発光素子２２が電気的に実装されている。複数の固体発光素子２２は、基板２１の第１面内における仮想円の円周上において等間隔に配置されている。基板２１は、例えば、一対の第１接続線（図示せず）を介して点灯装置１０と電気的に接続されている。各固体発光素子２２の発光色は、例えば、白色である。なお、各固体発光素子２２の発光色は、白色であるが、この色を特に限定するものではない。
【００６７】
点灯装置１０は、例えば、第２接続線３５Ａと第２接続線３５Ｂとを電気的に接続するように構成されている。言い換えれば、点灯装置１０は、例えば、一対の第２接続線３５Ａ，３５Ｂを電気的に接続するように構成されている。一対の第２接続線３５Ａ，３５Ｂは、例えば、一対の電線である。上記一対の電線は、例えば、天井材５０に予め設けられた第１孔５１から導出されている。
【００６８】
点灯装置１０には、例えば、第２接続線３５Ａを介して交流電源４０（図１参照）を電気的に接続することができる。また、点灯装置１０には、例えば、第２接続線３５Ｂを介して調光装置４１（図１参照）を電気的に接続することができる。
【００６９】
器具本体３１は、例えば、点灯装置１０および光源部２０それぞれが取り付けられるように構成されている。器具本体３１は、本体部３３と、鍔部３４とを備えている。器具本体３１の材料は、例えば、金属である。金属としては、例えば、アルミニウム、ステンレス、鉄などが挙げられる。
【００７０】
本体部３３は、例えば、有底円筒状に形成されている。本体部３３の底壁には、第２孔（図示せず）が形成されている。上記第２孔は、一対の第２接続線３５Ａ，３５Ｂを通すための孔である。鍔部３４は、本体部３３の側壁における開口側（図３では、下側）の端部から外方へ突出する。鍔部３４は、本体部３３と一体に構成されている。言い換えれば、鍔部３４は、例えば、円環状に形成されている。なお、本体部３３は、有底円筒状に形成されているが、この形状に限らない。本体部３３は、例えば、有底角筒状に形成されていてもよい。また、鍔部３４は、円環状に形成されているが、この形状に限らない。鍔部３４は、例えば、四角環状、八角環状などに形成されていてもよい。
【００７１】
拡散部３２は、複数の固体発光素子２２から放射された光を拡散するように構成されている。また、拡散部３２は、器具本体３１の鍔部３４に取り付けられるように構成されている。拡散部３２の材料は、例えば、透光性材料である。透光性材料としては、例えば、アクリル樹脂、ガラスなどが挙げられる。
【００７２】
なお、器具本体３１は、点灯装置１０および光源部２０それぞれが取り付けられるように構成されているが、これに限らない。器具本体３１は、例えば、光源部２０のみが取り付けられるように構成されていてもよい。この場合、点灯装置１０は、天井材５０の第１面５２側（図３では、上面側）に設置されることが好ましい。これにより、照明器具３０では、点灯装置１０で発生する熱が光源部２０に伝導するのを抑制することが可能となる。よって、照明器具３０では、光源部２０の劣化を抑制することが可能となる。
【００７３】
以上説明した実施形態１の照明器具３０は、光源部２０と、光源部２０を点灯させる点灯装置１０と、光源部２０が取り付けられる器具本体３１とを備えている。これにより、照明器具３０では、光源部２０から放射される光のちらつきを低減可能な点灯装置１０を備えた照明器具３０を提供することができる。
【００７４】
（実施形態２）
以下、実施形態２の点灯装置２４について、図６を参照しながら説明する。点灯装置２４の基本構成は、実施形態１の点灯装置１０と同じである。点灯装置２４は、図６に示すように、点灯装置１０の制御回路２とは異なる制御回路２５を備えている点が点灯装置１０と相違する。なお、点灯装置２４では、点灯装置１０と同様の構成要素に同一の符号を付して説明を適宜省略する。
【００７５】
制御回路２５は、Ａ／Ｄ変換部８と、処理部９と、比例積分制御演算部２６と、出力部２７とを備えている。
【００７６】
比例積分制御演算部２６は、処理部９の処理結果を、開ループ制御の比例積分制御に基づいて演算するように構成されている。比例積分制御演算部２６は、第１演算部１５と、第２蓄積部１６と、第１判定部１７と、第２演算部１８とを備えている。つまり、比例積分制御演算部２６は、点灯装置１０の比例制御演算部１１の機能を備えている。また、比例積分制御演算部２６は、第３演算部２８と、第２判定部２９と、第４演算部３６とを備えている。
【００７７】
第１判定部１７は、第１演算部１５の差分結果が予め設定された規定値Ｂ１よりも大きいか否かを判定する機能を、更に備えている。言い換えれば、第１判定部１７は、第１演算部１５の差分結果が規定値Ｂ１よりも大きいか否かを判定するようにも構成されている。規定値Ｂ１は、例えば、４である。
【００７８】
また、第１判定部１７は、第１演算部１５の差分結果が規定値Ｂ１よりも大きいか否かを判定した後、第１演算部１５の差分結果が正の数であるか否かを判定するように構成されている。
【００７９】
第３演算部２８は、第１判定部１７により第１演算部１５の差分結果が正の数であるか否か判定された結果に従って、予め設定された変数に１を加算するように構成されている。また、第３演算部２８は、第１判定部１７により第１演算部１５の差分結果が正の数であるか否か判定された結果に従って、上記変数から１を減算するように構成されている。具体的に説明すると、第３演算部２８は、第１判定部１７により第１演算部１５の差分結果が正の数であると判定されたとき、上記変数に１を加算する（上記変数をインクリメントする）。また、第３演算部２８は、第１判定部１７により第１演算部１５の差分結果が負の数であると判定されたとき、上記変数から１を減算する（上記変数をデクリメントする）。上記変数の初期値は、０である。
【００８０】
第２判定部２９は、第３演算部２８の演算結果が正の所定値になったか否かを判定するように構成されている。また、第２判定部２９は、第３演算部２８の演算結果が負の所定値になったか否かを判定するように構成されている。所定値は、例えば、３２である。
【００８１】
第４演算部３６は、第２判定部２９の判定結果に従って、第１の移動平均値に比例係数Ｃ１を加算するように構成されている。また、第４演算部３６は、第２判定部２９の判定結果に従って、第１の移動平均値から比例係数Ｃ１を減算するように構成されている。具体的に説明すると、第４演算部３６は、第２判定部２９により第３演算部２８の演算結果が正の所定値になったと判定されたとき、第１の移動平均値に比例係数Ｃ１を加算する。また、第４演算部３６は、第２判定部２９により第３演算部２８の演算結果が負の所定値になったと判定されたとき、第１の移動平均値から比例係数Ｃ１を減算する。比例係数Ｃ１は、例えば、０．５である。
【００８２】
比例積分制御演算部２６は、第１判定部１７により第１演算部１５の差分結果が規定値Ｂ１よりも大きいときと判定されたときに、第２演算部１８の演算結果を、比例積分制御演算部２６の演算結果として出力部２７へ出力するように構成されている。また、比例積分制御演算部２６は、第１判定部１７により第１演算部１５の差分結果が規定値Ｂ１以下であると判定されたときに、第４演算部３６の演算結果を、比例積分制御演算部２６の演算結果として出力部２７へ出力するように構成されている。
【００８３】
出力部２７は、第２ＰＷＭ信号を出力するように構成されている。第２ＰＷＭ信号は、比例積分制御演算部２６の演算結果に対応するデューティ比（以下、「第２デューティ比」）を備えている。第２デューティ比は、例えば、オンデューティ比（以下、「第２オンデューティ比」）である。
【００８４】
出力部２７は、読出部３７と、第４蓄積部３８とを備えている。第４蓄積部３８は、例えば、上記マイクロコンピュータに予め設けられた第５メモリ（図示せず）である。なお、出力部２７は、第４蓄積部３８として第５メモリを用いているが、これに限らない。第４蓄積部３８は、例えば、上記第１メモリ、上記第４メモリのいずれかであってもよい。
【００８５】
第４蓄積部３８には、第２データテーブル（図示せず）が予め記憶されている。第２データテーブルは、比例積分制御演算部２６の演算結果と第２ＰＷＭ信号の第２オンデューティ比とが対応付けられている。第２データテーブルは、例えば、上記の表１のようなデータテーブルを備えている。言い換えれば、比例積分制御演算部２６の演算結果と第２ＰＷＭ信号の第２オンデューティ比とは、上記の表１に示すように対応付けられている。上記の表１は、第２データテーブルの一部を表している。上記の表１の「位相角」は、調光装置４１からの位相制御電圧の位相角を意味する。この「位相角」は、比例積分制御演算部２６の演算結果に相当する。また、上記の表１の「調光比」は、光源部２０の調光比を意味する。この「調光比」は、第２ＰＷＭ信号の第２オンデューティ比に相当する。
【００８６】
読出部３７は、比例積分制御演算部２６の演算結果が入力されるように構成されている。また、読出部３７は、比例積分制御演算部２６の演算結果に対応する第２オンデューティ比を、第４蓄積部３８から読み出すように構成されている。
【００８７】
読出部３７は、比例積分制御演算部２６の演算結果が入力されたとき、第４蓄積部３８に予め記憶された第２データテーブルに基づいて、比例積分制御演算部２６の演算結果に対応付けられた第２オンデューティ比を読み出す。
【００８８】
出力部２７は、読出部３７により読み出された第２オンデューティ比を具備する第２ＰＷＭ信号を、点灯回路１へ出力するように構成されている。
【００８９】
点灯回路１は、出力部２７から出力された第２ＰＷＭ信号の第２オンデューティ比に従って光源部２０を点灯させるように構成されている。
【００９０】
以下、実施形態２の点灯装置２４における制御回路２５の動作について、図７に基づいて簡単に説明する。
【００９１】
Ａ／Ｄ変換部８は、上記アナログ信号が入力されたとき、このアナログ信号をデジタル信号に変換する（図７中のＳ９）。
【００９２】
移動平均演算部１３は、複数の上記デジタル信号の移動平均値を演算する（図７中のＳ１０）。
【００９３】
第１演算部１５は、第１の移動平均値と第２の移動平均値との差分を演算する（図７中のＳ１１）。
【００９４】
第１判定部１７は、第１演算部１５の差分結果が０であるか否かを判定する（図７中のＳ１２）。第１判定部１７は、第１演算部１５の差分結果が０以外のとき、第１演算部１５の差分結果が規定値Ｂ１よりも大きいか否かを判定する（図７中のＳ１３）。第１判定部１７は、第１演算部１５の差分結果が規定値Ｂ１よりも大きいとき、第１演算部１５の差分結果が正の数であるか否かを判定する（図７中のＳ１４）。
【００９５】
第２演算部１８は、第１判定部１７により第１演算部１５の差分結果が正の数であると判定されたとき、第１の移動平均値に比例係数Ａ１を加算する（図７中のＳ１５）。また、第２演算部１８は、第１判定部１７により第１演算部１５の差分結果が負の数であると判定されたとき、第１の移動平均値から比例係数Ａ１を減算する（図７中のＳ１６）。図７中のＳ１５およびＳ１６それぞれの“係数Ａ１”は、比例係数Ａ１に相当する。
【００９６】
読出部３７は、比例積分制御演算部２６の演算結果に対応する第２オンデューティ比を、第４蓄積部３８から読み出す（図７中のＳ１７）。図７中のＳ１７の“調光比”は、第２オンデューティ比に相当する。
【００９７】
第３演算部２８は、読出部３７により第２オンデューティ比が読み出された後、上記変数を初期化する（図７中のＳ１８）。
【００９８】
また、読出部３７は、第１判定部１７により第１演算部１５の差分結果が０であると判定されたとき、第４蓄積部３８から第２オンデューティ比を読み出さない。
【００９９】
第１判定部１７は、第１演算部１５の差分結果が規定値Ｂ１以下のとき、第１演算部１５の差分結果が正の数であるか否かを判定する（図７中のＳ１９）。
【０１００】
第３演算部２８は、第１判定部１７により第１演算部１５の差分結果が正の数であると判定されたとき、上記変数に１を加算する（図７中のＳ２０）。また、第３演算部２８は、第１判定部１７により第１演算部１５の差分結果が負の数であると判定されたとき、上記変数から１を減算する（図７中のＳ２１）。
【０１０１】
第２判定部２９は、第３演算部２８の演算結果が正の所定値になったか否かを判定する。また、第２判定部２９は、第３演算部２８の演算結果が負の所定値になったか否かを判定する（図７中のＳ２２）。
【０１０２】
第４演算部３６は、第２判定部２９により第３演算部２８の演算結果が正の所定値になったと判定されたとき、第１の移動平均値に比例係数Ｃ１を加算する（図７中のＳ２３）。図７中のＳ２３の“係数Ｃ１”は、比例係数Ｃ１に相当する。
【０１０３】
読出部３７は、比例積分制御演算部２６の演算結果に対応する第２オンデューティ比を、第４蓄積部３８から読み出す（図７中のＳ２４）。図７中のＳ２４の“調光比”は、第２オンデューティ比に相当する。
【０１０４】
第３演算部２８は、読出部３７により第２オンデューティ比が読み出された後、上記変数を初期化する（図７中のＳ２５）。
【０１０５】
また、第４演算部３６は、第２判定部２９により第３演算部２８の演算結果が負の所定値になったと判定されたとき、第１の移動平均値から比例係数Ｃ１を減算する（図７中のＳ２６）。図７中のＳ２６の“係数Ｃ１”は、比例係数Ｃ１に相当する。
【０１０６】
読出部３７は、比例積分制御演算部２６の演算結果に対応する第２オンデューティ比を、第４蓄積部３８から読み出す（図７中のＳ２７）。図７中のＳ２７の“調光比”は、第２オンデューティ比に相当する。
【０１０７】
第３演算部２８は、読出部３７により第２オンデューティ比が読み出された後、上記変数を初期化する（図７中のＳ２８）。
【０１０８】
また、読出部３７は、第２判定部２９により第３演算部２８の演算結果が正の所定値および負の所定値以外であると判定されたとき、第４蓄積部３８から第２オンデューティ比を読み出さない。
【０１０９】
ところで、本願発明者らは、点灯装置２４において比例積分制御演算部２６のみを除いた比較例２の点灯装置を考えた。比較例２の点灯装置における読出部３７は、移動平均演算部１３により演算された上記移動平均値が入力されるように構成されている。
【０１１０】
また、本願発明者らは、比較例２の点灯装置において、調光装置４１の操作部（図示せず）により位相制御電圧の位相角を増加させた後、この位相制御電圧の位相角を固定することを考えた。そして、本願発明者らは、比較例２の点灯装置において、位相制御電圧にノイズを重畳させることを考えた。上記ノイズは、処理部９（詳しくは、移動平均演算部１３）で除去しきれないノイズに相当する。
【０１１１】
本願発明者らは、比較例２の点灯装置において調光装置４１からの位相制御電圧に上記ノイズを重畳させ、調光装置４１からの位相制御電圧の位相角（以下、「第３位相角」）を変化させたときのシミュレーション（以下、「第３シミュレーション」）を行った。また、本願発明者らは、第３シミュレーションを行い、図８に示すようなシミュレーション結果を得た。本願発明者らは、比較例２の点灯装置において第３シミュレーションを行う際に、例えば、Mathworks社製のMatlab（登録商標）/Simulink（登録商標）を用いた。図８中の縦軸の“位相角”は、第３位相角を表している。図８中の横軸は、時間を表している。図８中の破線は、調光装置４１の上記操作部による位相制御電圧の位相角の変化を表している。図８中の一点鎖線は、比較例２の点灯装置においてＡ／Ｄ変換部８のサンプリング間隔を４６．２８μｓに設定した場合における第３位相角の変化を表している。図８中の二点鎖線は、比較例２の点灯装置においてＡ／Ｄ変換部８のサンプリング間隔を１８５．１２μｓに設定した場合における第３位相角の変化を表している。
【０１１２】
また、本願発明者らは、実施形態１の点灯装置１０において調光装置４１からの位相制御電圧に上記ノイズを重畳させ、調光装置４１からの位相制御電圧の位相角（以下、「第４位相角」）を変化させたときのシミュレーション（以下、「第４シミュレーション」）を行った。そして、本願発明者らは、第４シミュレーションを行い、図９に示すようなシミュレーション結果を得た。以下では、説明の便宜上、図９に示すようなシミュレーション結果が得られた実施形態１の点灯装置１０を、「比較例３の点灯装置」と称する。本願発明者らは、比較例３の点灯装置において第４シミュレーションを行う際に、例えば、Mathworks社製のMatlab（登録商標）/Simulink（登録商標）を用いた。図９中の縦軸の“位相角”は、第４位相角を表している。図９中の横軸は、時間を表している。図９中の破線は、調光装置４１の上記操作部による位相制御電圧の位相角の変化を表している。図９中の実線は、比較例３の点灯装置における第４位相角の変化を表している。
【０１１３】
また、本願発明者らは、点灯装置２４において調光装置４１からの位相制御電圧に上記ノイズを重畳させ、調光装置４１からの位相制御電圧の位相角（以下、「第５位相角」）を変化させたときのシミュレーション（以下、「第５シミュレーション」）を行った。そして、本願発明者らは、第５シミュレーションを行い、図１０に示すようなシミュレーション結果を得た。本願発明者らは、点灯装置２４において第５シミュレーションを行う際に、例えば、Mathworks社製のMatlab（登録商標）/Simulink（登録商標）を用いた。図１０中の縦軸の“位相角”は、第５位相角を表している。図１０中の横軸は、時間を表している。図１０中の破線は、調光装置４１の上記操作部による位相制御電圧の位相角の変化を表している。図１０中の実線は、点灯装置２４における第５位相角の変化を表している。
【０１１４】
比較例３の点灯装置では、図９中の実線で示すように、光源部２０の調光比を変化させているとき、比較例２の点灯装置に比べて、調光装置４１からの位相制御電圧に重畳された上記ノイズ（以下、「重畳ノイズ」）の影響を抑制することが可能となる。しかしながら、比較例３の点灯装置では、図９中の実線で示すように、調光装置４１の上記操作部により位相制御電圧の位相角が固定されたとき、重畳ノイズの影響を抑制することが難しい。
【０１１５】
点灯装置２４では、図１０中の実線で示すように、光源部２０の調光比を変化させているとき、比較例２の点灯装置に比べて、重畳ノイズの影響を抑制することが可能となる。また、点灯装置２４では、図１０中の実線で示すように、調光装置４１の上記操作部により位相制御電圧の位相角が固定されたとき、比較例３の点灯装置に比べて、重畳ノイズの影響を抑制することが可能となる。すなわち、実施形態２の点灯装置２４では、調光装置４１の上記操作部により位相制御電圧の位相角が固定されたとき、実施形態１の点灯装置１０に比べて、重畳ノイズの影響を、より抑制することが可能となる。これにより、点灯装置２４では、調光装置４１の上記操作部により位相制御電圧の位相角が固定されたとき、点灯装置１０に比べて、光源部２０から放射される光のちらつきを、より低減することが可能となる。
【０１１６】
出力部２７は、点灯回路１により光源部２０を点灯させるときに、第２ＰＷＭ信号の第２オンデューティ比を光源部２０が点灯可能な上記最小値のオンデューティ比に強制的に変更するように構成されていることが好ましい。また、出力部２７は、第２ＰＷＭ信号の第２オンデューティ比を上記最小値のオンデューティ比に強制的に変更した後、上記最小値のオンデューティ比から第２ＰＷＭ信号の第２オンデューティ比へ徐々に増加させるように構成されていることが好ましい。これにより、点灯装置２４では、スイッチング素子７の絶縁破壊を抑制することが可能となる。
【０１１７】
比例積分制御演算部２６による比例積分制御の比例係数Ｃ１は、点灯回路１により光源部２０を点灯させるときに、光源部２０が安定して点灯するときの比例積分制御演算部２６による比例積分制御の比例係数よりも小さく設定されていることが好ましい。以下、比例係数Ｃ１は、説明の便宜上、「第３比例係数Ｃ１」と称する。また、光源部２０が安定して点灯するときの比例積分制御演算部２６による比例積分制御の比例係数を、「第４比例係数」と称する。第３比例係数Ｃ１は、例えば、第４比例係数の半分の値である。これにより、点灯装置２４では、光源部２０の光出力を徐々に上昇させることが可能となる。よって、点灯装置２４では、スイッチング素子７の絶縁破壊を、より一層抑制することが可能となる。
【０１１８】
実施形態２の点灯装置２４は、例えば、実施形態１の照明器具３０に適用してもよい。
【０１１９】
以上説明した実施形態２の点灯装置２４における制御回路２５は、実施形態１の点灯装置１０における比例制御演算部１１の代わりに、処理部９の前記処理結果を開ループ制御の比例積分制御に基づいて演算する比例積分制御演算部２６を備えていることが好ましい。出力部２７は、比例制御演算部１１の前記演算結果に従って前記ＰＷＭ信号からなる第１ＰＷＭ信号を出力する代わりに、比例積分制御演算部２６の演算結果に対応するデューティ比を具備する第２ＰＷＭ信号を出力するように構成されていることが好ましい。点灯回路１は、出力部１２から出力された前記第１ＰＷＭ信号のデューティ比に従って光源部２０を点灯させる代わりに、出力部２７から出力された前記第２ＰＷＭ信号のデューティ比に従って光源部２０を点灯させるように構成されていることが好ましい。これにより、点灯装置２４では、調光装置４１の上記操作部により位相制御電圧の位相角が固定されたとき、点灯装置１０に比べて、光源部２０から放射される光のちらつきを、より低減することが可能となる。
【０１２０】
処理部９は、複数の前記デジタル信号の移動平均値を演算する移動平均演算部１３を備えていることが好ましい。また、処理部９は、移動平均演算部１３により演算された前記移動平均値を、前記処理結果として比例積分制御演算部２６へ出力するように構成されていることが好ましい。これにより、点灯装置２４では、調光装置４１の上記操作部により位相制御電圧の位相角が固定されたとき、点灯装置１０に比べて、光源部２０から放射される光のちらつきを、より一層低減することが可能となる。
【０１２１】
前記第２ＰＷＭ信号のデューティ比は、オンデューティ比であることが好ましい。出力部２７は、点灯回路１により光源部２０を点灯させるときに、前記第２ＰＷＭ信号のオンデューティ比を光源部２０が点灯可能な最小値のオンデューティ比に強制的に変更するように構成されていることが好ましい。また、出力部２７は、前記第２ＰＷＭ信号のオンデューティ比を前記最小値のオンデューティ比に強制的に変更した後、前記最小値のオンデューティ比から前記第２ＰＷＭ信号のオンデューティ比へ徐々に増加させるように構成されていることが好ましい。これにより、点灯装置２４では、スイッチング素子７の絶縁破壊を抑制することが可能となる。
【０１２２】
比例積分制御演算部２６による前記比例積分制御の第３比例係数Ｃ１は、点灯回路１により光源部２０を点灯させるときに、光源部２０が安定して点灯するときの比例積分制御演算部２６による前記比例積分制御の第４比例係数よりも小さく設定されていることが好ましい。これにより、点灯装置２４では、光源部２０の光出力を徐々に上昇させることが可能となる。よって、点灯装置２４では、スイッチング素子７の絶縁破壊を、より一層抑制することが可能となる。
【符号の説明】
【０１２３】
１  点灯回路
２  制御回路
８  Ａ／Ｄ変換部
９  処理部
１０  点灯装置
１１  比例制御演算部
１２  出力部
１３  移動平均演算部
２０  光源部
２２  固体発光素子
２４  点灯装置
２５  制御回路
２６  比例積分制御演算部
２７  出力部
３０  照明器具
３１  器具本体
【図１】
2015207364.tif 000004
【図２】
2015207364.tif 000005
【図３】
2015207364.tif 000006
【図４】
2015207364.tif 000007
【図５】
2015207364.tif 000008
【図６】
2015207364.tif 000009
【図７】
2015207364.tif 000010
【図８】
2015207364.tif 000011
【図９】
2015207364.tif 000012
【図１０】
2015207364.tif 000013